(57)【要約】【課題】ボトルの欠陥を検査する機械のための改良されたベルト駆動装置を提供すること。【解決手段】  ボトルを検査するための機械（１０）である。この機械は、上方及び下方の互いに対向するベルト駆動装置の対（２２，２４）を備えたベルトコンベア（２０）を有している。各ベルト駆動装置は、ケーシングを含み、同ケーシングは、ベルトを変位させるように支持している互いに対向している駆動及びアイドラープーリー（５６）を支持している。前記ケーシングに取り付けられたモーター駆動装置（６０）が前記駆動プーリーを駆動する。【選択図】  図２
2005022872.tif 000002
【特許請求の範囲】
【請求項１】
容器を検査するための機械のためのコンベア装置であって、
ボトルを、ピックアップ位置へと給送するための給送コンベアと、
ボトルを、前記ピックアップ位置において取り上げ且つ取り上げたボトルを解放位置へと給送するためのベルト駆動コンベア機構と、
前記解放位置へ給送されたボトルを受け取るための排出コンベアと、を含み、
前記ベルトコンベア機構は、上方及び下方の対向するベルト駆動アセンブリの対を含み、
各ベルト駆動アセンブリが、
ベルト駆動ケーシングと、
同ベルト駆動ケーシングに取り付けられたベルト支持手段であって、駆動可能な部材を有しているベルト支持手段と、
同駆動可能な部材を駆動するための前記ケーシングに取り付けられたモーター手段と、を含んでいる、コンベア装置。
【請求項２】
請求項１に記載のコンベア装置であって、
前記モーター手段がステッピングモーターである、コンベア装置。
【発明の詳細な説明】
【技術分野】
【０００１】
本発明は、ボトルの欠陥を検査する機械に関し、より特別には、ボトルが、対向するベルトの対を有しているベルトコンベアによって１以上の検査ステーションの中を搬送されるようになされた機械に関する。
【背景技術】
【０００２】
ボトルが、対向するベルトの対を有するベルト駆動機構によって多数の検査ステーションの中を搬送される従来のガラス製のボトル検査機の現状は、米国特許第５，４２２，４７６号に開示されている（特許文献１参照）。
【特許文献１】米国特許第５，４２２，４７６号公報
【発明の開示】
【発明が解決しようとする課題】
【０００３】
本発明の目的は、このような機械のための改良されたベルト駆動装置を提供することである。
【課題を解決するための手段】
【０００４】
上記目的を達成するために、本発明においては、容器を検査するための機械のためのコンベア装置を、ボトルをピックアップ位置へと給送するための給送コンベアと、ボトルを前記ピックアップ位置において取り上げ且つ取り上げたボトルを解放位置へと給送するためのベルト駆動コンベア機構と、前記解放位置へ給送されたボトルを受け取るための排出コンベアと、を含むように構成し、前記ベルトコンベア機構が、上方及び下方の対向するベルト駆動アセンブリの対を含み、各ベルト駆動アセンブリが、ベルト駆動ケーシングと、同ベルト駆動ケーシングに取り付けられたベルト支持手段であって、駆動可能な部材を有しているベルト支持手段と、同駆動可能な部材を駆動するための前記ケーシングに取り付けられたモーター手段と、を含むように構成している。
【０００５】
本発明のその他の目的及び利点は、本明細書の以下の部分及び添付図面から明らかとなるであろう。添付図面は、特許法に従って、本発明の原理を組み入れている現在のところ好ましい実施形態を図示している。
【発明を実施するための最良の形態】
【０００６】
図１は、給送コンベア１４によって装置へ搬送される一列のボトル１２を検査する検査機１０の図である。種々の検査のうちのどの検査もこの装置によって行うことができる。
図２は、給送コンベアからボトルを受け取り、これらのボトルを１以上の検査位置へ搬送し、これらのボトルを排出コンベア１６上へ解放する、この機械のためのベルトコンベア機構２０を示している。給送及び排出コンベアは、前方ガード１７を有しており、前方ガード１７は、検査機（光源、カメラ等）のための前方ガード１８と共に、コンベア給送／排出コンベア装置の前方面を形成している。
【０００７】
図からわかるように、ベルトコンベア機構は、互いに対向した上方のベルト駆動装置の対２２と、互いに対向した下方のベルト駆動装置の対２４とを有している。ベルト駆動装置２２の各々は、水平摺動部材２８と一体化されている垂直支柱２６から片持ち状に支持されている。上方／下方の対向するベルト駆動装置の対の２つの摺動部材の各々は、駆動ピニオン３０と作動可能に組み合わせられているラック部分２９（一つが図４に示されている）を含んでいる。
【０００８】
ベルト駆動装置の対向した対の２つの摺動部材は、キャリッジ３４上に取り付けられているローラーの３つの対３２（図３及び４）によって、横方向に変位できるように支持されている。頂部の摺動部材は、頂部及び中間のローラー対間に支持されており、底部の摺動部材は、中間及び底部のローラー対間に支持されている。摺動部材２８は、ベルト駆動装置の対向している対が相対的に閉じられると、関連する支柱２６内の適当な孔内に入ることができる。キャリッジはまた、検査領域上へと垂下するように装置のフレームに固定されているハウジング（図４）上の外側トラック（図示せず）によって捕獲されている上方及び下方の対向しているローラーの対３６をも支持している。
【０００９】
開放／閉塞ステッピングモーター４０が作動せしめられると（ベルト駆動装置の対向している対の各々に対して１つのモーターが存在する）、プーリーが、下方の摺動部材（図４に示されていない）内に固定された対応するナットによってねじ式に収容されているねじ４４を駆動し、ねじ４４は、下方摺動部材と同摺動部材に取り付けられた支柱とを変位させる。開放／閉塞モーターの作動は、上方ベルト／下方ベルト駆動装置を、相対的に近づく方向又は遠ざかる方向に、作動に応じて、相互に共同して、水平方向に変位させる。
ハウジング３８は、装置のフレームに固定されている取り付け部材３９と一体化されており、ハウジング上には、一対の上方／下方モーター５０が取り付けられている。一方のモーターは上方駆動ベルトと組み合わされており、他方のモーターは下方の駆動ベルトと組み合わせられている。各モーターは、プーリー４２を作動させ、プーリー４２は、ブラケット５４を介してキャリッジに結合されている細長いナット５２に作動可能に収容されされているねじを回転駆動する。
【００１０】
各ベルト駆動装置（図５）は、ハウジング又はアーム５５を有しており、このハウジング又はアームは、両端においてプーリー５６を支持している。ベルト５７を支持しているこれらのプーリーは、これらのプーリーのうちの一つをステッピングモーター駆動装置６０に連結しているタイミングベルト５８によって駆動される。ステッピングモーターは、図２に示されているように、ケーシングの頂部に取り付けられている。下方ベルト駆動装置のためのステッピングモーターは、下方ケーシングの頂面上に取り付けられていて、上方ケーシングに形成されたポケット又は切り欠き６２内に入ることができるようになされている。垂直方向の変位を容易にするために、各アセンブリは、アセンブリの重量を実質的に除去するために、釣合いがとられている。
【００１１】
図２は、上方ベルト駆動装置と下方ベルト駆動装置とが垂直方向に重ねられている大きな製品のための形状に配置されている上方及び下方のベルト駆動装置の対を示している。
図６は、小さい又は小型の製品のための形状１２Ｂの上方及び下方の駆動ベルトの対の位置を示している。この形状に到達するために、上方のベルト駆動装置の対は、これらが、相対的に水平方向に変位されることができるように（下方駆動装置上のモーターの頂部が上方のケーシングに支障が無いように）、垂直方向に隣接するベルト駆動装置を分離するために持ち上げられている。下方のベルト駆動装置の対は、両方の下方ベルト駆動装置がコンベアの前方の壁１７、１８から水平方向において支障が無い位置へと水平方向に分離されている。下方のベルト駆動装置は、次いで、ベルト駆動装置（モーター）の頂部が給送／送出コンベアの面６０より下方となるまで降ろされる。最後に、上方の駆動ベルトの対は、ケーシングがコンベアの頂面６０のすぐ上方となる位置へと降ろされる。上方の駆動ベルトの対の駆動ベルトは、小型製品１２Ｂの側壁に隣接するように配置することができる。
【図面の簡単な説明】
【００１２】
【図１】図１は、本発明の教示に従って作られたボトルを検査する検査機の斜視図である。
【図２】図２は、大型製品のための形状の、図１に示された機械のベルト駆動アセンブリの斜視図である。
【図３】図３は、対向するベルト駆動装置のうちの１つのための案内ホイールアセンブリの斜視図である。
【図４】図４は、開放／閉塞ステッピングモーターを含んでいるベルト駆動アセンブリの斜視図である。
【図５】図５は、ベルト駆動装置の底面図である。
【図６】図６は、小型製品のための形状の図１に示された装置のベルト駆動アセンブリの斜視図である。
【符号の説明】
【００１３】
１０  検査機、          １２  ボトル、        １４  給送コンベア、
１６  排出コンベア、    １７  前方ガード、
１８  前方ガード、      ２０  ベルトコンベア機構、
２２  上方のベルト駆動装置の対、    ２４  下方のベルト駆動装置の対、
２６  垂直支柱、        ２８  水平摺動部材、
２９  ラック部分、      ３０  駆動ピニオン、
３２  ローラーの対、    ３４  キャリッジ、
３６  ローラーの対、    ３８  ハウジング、
３９  取り付け部材、    ４０  ステッピングモーター、
４２  プーリー、        ４４  ねじ、
５０  モーター、        ５２  ナット、
５４  ブラケット、      ５５  ハウジング又はアーム、
５７  ベルト、          ５８  タイミングベルト、
６０  ステッピングモーター
【図１】
2005022872.tif 000003
【図２】
2005022872.tif 000004
【図３】
2005022872.tif 000005
【図４】
2005022872.tif 000006
【図５】
2005022872.tif 000007
【図６】
2005022872.tif 000008